(57)【要約】【解決手段】指掛環１５，１６及び連結支持部１９，２０は、刃板７，８を互いに閉じた閉状態で、柄部９，１０の開閉方向の両側区域を、開閉支持部６の回動中心線６ａと刃板７，８における刃先の尖端とを含む第一の基準平面で区画した際に、一方の側の区域側に配設されているばかりでなく、回動中心線６ａの延設方向の両側区域Ｆ，Ｂを、開閉方向と両刃板７，８の摺接面とを含む第二の基準平面Ｑで区画した際に、一方の側の区域Ｆ側に配設されている。【効果】両刃板７，８を眉毛に当てがって使用する際に、両指掛環１５，１６が両刃板７，８より下側に配置されるので、腕や肘や手首を必要以上に曲げたり捻ったり上げたりして両柄部９，１０を把持する必要が少なくなる。その際、両指掛環１５，１６が顔面から離れる前側に配置されるので、顔面と両指掛環１５，１６との間に生じるスペースに配置した手で両刃板７，８を容易に開閉動させることができる。【選択図】図３
2013126442.tif 000002
【特許請求の範囲】
【請求項１】
一対の鋏片を開閉支持部で回動可能に支持して互いに交差させ、その開閉支持部より先端側に刃部を設けるとともに、その開閉支持部より基端側に柄部を設け、この両柄部には開閉支持部の回動中心線から連結支持部を経て指掛部を設けた鋏において、
前記両柄部のうち少なくとも指掛部は、両刃部を互いに閉じた閉状態で、両柄部の開閉方向の両側区域を、開閉支持部の回動中心線と一方の刃部における刃先の尖端とを含む第一の基準平面で区画した際に、一方の側の区域側に片寄って配設されているばかりでなく、両柄部の回動中心線の延設方向の両側区域を、開閉方向と両刃部の摺接面とを含む第二の基準平面で区画した際に、一方の側の区域側に片寄って配設されていることを特徴とする鋏。
【請求項２】
前記両柄部の連結支持部は、前記両柄部の指掛部から開閉支持部側へ所定範囲延設され、両刃部を互いに閉じた閉状態で、第一の基準平面を挟む開閉方向の両側区域のうち一方の側の区域側に片寄って指掛部とともに配設されて指掛部に向けて接近するに従い第一の基準平面から離間する向きへ延設されているばかりでなく、第二の基準平面を挟む回動中心線の延設方向の両側区域のうち一方の側の区域側に片寄って指掛部とともに配設されて指掛部に向けて接近するに従い第二の基準平面から離間する向きへ延設されていることを特徴とする請求項１に記載の鋏。
【請求項３】
前記両柄部の指掛部は、両刃部を互いに閉じた閉状態で、前記両柄部の連結支持部に対し、第一の基準平面に接近する向きへ屈曲して延設されているばかりでなく、第二の基準平面に接近する向きへ屈曲して延設されていることを特徴とする請求項２に記載の鋏。
【請求項４】
前記両柄部は前記指掛部として指掛環を有し、両柄部の指掛環の内側に設けた指入れ孔のうち少なくとも一方の指掛環の指入れ孔の内周縁部には回動中心線の延設方向へ膨出させた指当部を設けたことを特徴とする請求項１から請求項３のうちいずれか一つの請求項に記載の鋏。
【請求項５】
一対の鋏片を開閉支持部で回動可能に支持して互いに交差させ、その開閉支持部より先端側に刃部を設けるとともに、その開閉支持部より基端側に柄部を設け、この両柄部には開閉支持部の回動中心線から連結支持部を経て指掛部を設けた鋏において、
前記両柄部のうち少なくとも指掛部は、両刃部を互いに閉じた閉状態で、両柄部の開閉方向の両側区域を、開閉支持部の回動中心線と一方の刃部における刃先の尖端とを含む第一の基準平面で区画するとともに、両柄部の回動中心線の延設方向の両側区域を、開閉方向と両刃部の摺接面とを含む第二の基準平面で区画した際に、第一の基準平面で区画された両側区域のうち、一方の側の区域側に片寄って配設され、
前記両柄部は前記指掛部として指掛環を有し、両柄部の指掛環の内側に設けた指入れ孔のうち少なくとも一方の指掛環の指入れ孔の内周縁部には回動中心線の延設方向へ膨出させた指当部を設けたことを特徴とする鋏。
【請求項６】
一対の鋏片を開閉支持部で回動可能に支持して互いに交差させ、その開閉支持部より先端側に刃部を設けるとともに、その開閉支持部より基端側に柄部を設け、この両柄部には開閉支持部の回動中心線から連結支持部を経て指掛部を設けた鋏において、
前記両柄部のうち少なくとも指掛部は、両刃部を互いに閉じた閉状態で、両柄部の開閉方向の両側区域を、開閉支持部の回動中心線と一方の刃部における刃先の尖端とを含む第一の基準平面で区画するとともに、両柄部の回動中心線の延設方向の両側区域を、開閉方向と両刃部の摺接面とを含む第二の基準平面で区画した際に、第二の基準平面で区画された両側区域のうち、一方の側の区域側に片寄ってに配設され、
前記両柄部は前記指掛部として指掛環を有し、両柄部の指掛環の内側に設けた指入れ孔のうち少なくとも一方の指掛環の指入れ孔の内周縁部には回動中心線の延設方向へ膨出させた指当部を設けたことを特徴とする鋏。
【請求項７】
前記両柄部の指掛部は、第一の基準平面に対し近い側と遠い側とで互いに並んで配設されていることを特徴とする請求項１から請求項６のうちいずれか一つの請求項に記載の鋏。
【請求項８】
前記第一の基準平面に対し近い側にある指掛部を有する一方の鋏片で刃部に櫛部材を装着可能に支持していることを特徴とする請求項７に記載の鋏。
【請求項９】
前記櫛部材は、一方の刃部が装着可能に支持された台部を有し、
この櫛部材の台部は、第一の基準平面に対し両指掛部側に配設され、
この櫛部材の台部において、櫛部材の各櫛歯は第二の基準平面を挟む両側のうち一方の側で並設されて一方の刃部に面し、一方の側に対する反対側の他方の側で他方の刃部が一方の刃部に対し開閉される
ことを特徴とする請求項８に記載の鋏。
【発明の詳細な説明】
【技術分野】
【０００１】
本発明は、例えば眉毛などの毛を切る際に使用する鋏に関するものである。
【背景技術】
【０００２】
従来、下記の特許文献１にかかる櫛付き鋏においては、一対の鋏片を開閉支持部で回動可能に支持して互いに交差させ、その開閉支持部より先端側に刃部を設けるとともに、その開閉支持部より基端側に柄部を設け、この両柄部には開閉支持部の回動中心線から連結支持部を経て指掛環を設けている。また、開閉支持部の回動中心線と刃部における刃先の尖端とを含む基準平面に対し近い側にある指掛部を有する一方の鋏片で刃部に櫛部材を着脱可能に支持している。
【先行技術文献】
【特許文献】
【０００３】
【特許文献１】特許第４３４６８９４号公報
【発明の概要】
【発明が解決しようとする課題】
【０００４】
上記の特許文献１において、両柄部の指掛環は、両刃部を互いに閉じた閉状態で、両柄部の開閉方向の両側区域を、開閉支持部の回動中心線と一方の刃部における刃先の尖端とを含む基準平面で区画した際に、一方の側の区域側に片寄って配設されている。しかし、両指掛環は開閉方向と両刃部の摺接面とを含む基準平面上に配設されているので、一方の鋏片の刃部に支持された櫛部材を顔面の眉毛に当てがって使用する際に、両指掛環と顔面との間にスペースが生じにくくなり、顔面側から両指掛環に指を挿入すると、その指が顔面に接触し易くなって両刃部の開閉動を行ないにくい。そのため、櫛部材を顔面に対し傾けた状態で眉毛に当てがって使用することもあった。また、腕や肘や手首を曲げたり捻ったり上げたりして使用姿勢を変えることもあるが、上記の特許文献１においては、指掛環の内周縁部全体が狭い同一幅で形成されているので、使用姿勢によっては指掛環に対する指の接触状態が変化し、指の接触面積が小さくなった状態では両刃部の開閉動を行ないにくい。
【０００５】
この発明は、両柄部の指掛部の配置状態や形態を改良して両刃部の開閉動を行ない易くし、鋏の使い勝手を良くすることを目的としている。
【課題を解決するための手段】
【０００６】
後記実施形態（図１〜６に示す第一実施形態、図７〜８に示す第二実施形態）の図面の符号を援用して本発明を説明する。
請求項１の発明にかかる鋏（１）においては、一対の鋏片（４，５）を開閉支持部（６）で回動可能に支持して互いに交差させ、その開閉支持部（６）より先端側に刃部（７，８）を設けるとともに、その開閉支持部（６）より基端側に柄部（９，１０）を設け、この両柄部（９，１０）には開閉支持部（６）の回動中心線（６ａ）から連結支持部（１９，２０）を経て指掛部（１５，１６）を設けている。前記両柄部（９，１０）のうち少なくとも指掛部（１５，１６）は、両刃部（７，８）を互いに閉じた閉状態で、両柄部（９，１０）の開閉方向（Ｒ）の両側区域（Ｕ，Ｄ）を、開閉支持部（６）の回動中心線（６ａ）と一方の刃部（７，８）における刃先（２１，２２）の尖端（２１ａ，２２ａ）とを含む第一の基準平面（Ｐ）で区画した際に、一方の側の区域（Ｄ）側に片寄って配設されているばかりでなく、両柄部（９，１０）の回動中心線（６ａ）の延設方向の両側区域（Ｆ，Ｂ）を、開閉方向（Ｒ）と両刃部（７，８）の摺接面（７ａ，８ａ）とを含む第二の基準平面（Ｑ）で区画した際に、一方の側の区域（Ｆ）側に片寄って配設されている。
【０００７】
請求項１の発明では、例えば、第一の基準平面（Ｐ）を水平にするとともに第二の基準平面（Ｑ）を鉛直にした状態で、両刃部（７，８）を顔面の眉毛などの毛に当てがって使用する際に、両柄部（９，１０）の指掛部（１５，１６）が両刃部（７，８）より下側に配置されるので、腕や肘や手首を必要以上に曲げたり捻ったり上げたりして両柄部（９，１０）を把持する必要が少なくなり、両刃部（７，８）を容易に開閉動させることができる。また、その際、両指掛部（１５，１６）が顔面から離れる前側に配置されるので、顔面と両指掛部（１５，１６）との間にスペースが生じ、そのスペースに配置した手で両刃部（７，８）を容易に開閉動させることができる。
【０００８】
請求項１の発明を前提とする請求項２の発明において、前記両柄部（９，１０）の連結支持部（１９，２０）は、前記両柄部（９，１０）の指掛部（１５，１６）から開閉支持部（６）側へ所定範囲延設され、両刃部（７，８）を互いに閉じた閉状態で、第一の基準平面（Ｐ）を挟む開閉方向（Ｒ）の両側区域（Ｕ，Ｄ）のうち一方の側の区域（Ｄ）側に片寄って指掛部（１５，１６）とともに配設されて指掛部（１５，１６）に向けて接近するに従い第一の基準平面（Ｐ）から離間する向きへ延設されているばかりでなく、第二の基準平面（Ｑ）を挟む回動中心線（６ａ）の延設方向の両側区域（Ｆ，Ｂ）のうち一方の側の区域（Ｆ）側に片寄って指掛部（１５，１６）とともに配設されて指掛部（１５，１６）に向けて接近するに従い第二の基準平面（Ｑ）から離間する向きへ延設されている。図１及び図３に示すように指掛部（１５，１６）から開閉支持部（６）側へ所定範囲延設された連結支持部（１９，２０）は、後記実施形態において、開閉支持部（６）と指掛部（１５，１６）との間の範囲に設けられている。図１では、指掛部（１５，１６）から延設された連結部（１７，１８）の全体と、この連結部（１７，１８）から延設された支持板部（１１，１２）で開閉支持部（６）の付近までの部分とが一方の側の区域（Ｄ）側に片寄っており、連結支持部（１９，２０）のうち、指掛部（１５，１６）から延設された連結支持部（１９，２０）の一部や、連結支持部（１９，２０）の全体が一方の側の区域（Ｄ）側に片寄ったり、連結支持部（１９，２０）の連結部（１７，１８）や支持板部（１１，１２）の一部が両側区域（Ｕ，Ｄ）のうち他方の側の区域（Ｕ）側に入り込んでいたりしてもよい。また、図３では、指掛部（１５，１６）から延設された連結部（１７，１８）で支持板部（１１，１２）の付近までの部分が一方の側の区域（Ｆ）側に片寄っており、連結支持部（１９，２０）のうち、指掛部（１５，１６）から延設された連結支持部（１９，２０）の一部や、連結支持部（１９，２０）の全体が一方の側の区域（Ｆ）側に片寄ったり、連結支持部（１９，２０）の連結部（１７，１８）や支持板部（１１，１２）の一部が両側区域（Ｆ，Ｂ）のうち他方の側の区域（Ｂ）側に入り込んでいてもよい。
【０００９】
請求項２の発明では、両柄部（９，１０）において連結支持部（１９，２０）も第一の基準平面（Ｐ）及び第二の基準平面（Ｑ）に対し両指掛部（１５，１６）と同様に配設されるので、両刃部（７，８）をより一層容易に開閉動させることができる。
【００１０】
請求項２の発明を前提とする請求項３の発明において、前記両柄部（９，１０）の指掛部（１５，１６）は、両刃部（７，８）を互いに閉じた閉状態で、前記両柄部（９，１０）の連結支持部（１９，２０）に対し、第一の基準平面（Ｐ）に接近する向きへ屈曲して延設されているばかりでなく、第二の基準平面（Ｑ）に接近する向きへ屈曲して延設されている。
【００１１】
請求項３の発明では、両指掛部（１５，１６）が両刃部（７，８）より下向きになり過ぎないように上向きに戻したり、両指掛部（１５，１６）が顔面から離れ過ぎないように顔面側へ戻したりすることができるので、腕や肘や手首を必要以上に曲げたり捻ったり上げたりして両柄部（９，１０）を把持する必要が少なくなり、両刃部（７，８）をより一層容易に開閉動させることができる。
【００１２】
請求項１から請求項３のうちいずれか一つの請求項の発明を前提とする請求項４の発明において、前記両柄部（９，１０）は前記指掛部として指掛環（１５，１６）を有し、両柄部（９，１０）の指掛環（１５，１６）の内側に設けた指入れ孔（１５ａ，１６ａ）のうち少なくとも一方の指掛環（１６）の指入れ孔（１６ａ）の内周縁部には回動中心線（６ａ）の延設方向へ膨出させた指当部（２５）を設けている。
【００１３】
請求項４の発明では、指掛環（１５，１６）に挿入した指の指当部（２５）に対する接触面積が広がるので、腕や肘や手首を曲げたり捻ったり上げたりした使用姿勢でも、指当部（２５）に対する指の接触状態が安定し、挿入時の指の向きが変わっても両刃部（７，８）をより一層容易に開閉動させることができる。
【００１４】
請求項５の発明にかかる鋏（１）においては、一対の鋏片（４，５）を開閉支持部（６）で回動可能に支持して互いに交差させ、その開閉支持部（６）より先端側に刃部（７，８）を設けるとともに、その開閉支持部（６）より基端側に柄部（９，１０）を設け、この両柄部（９，１０）には開閉支持部（６）の回動中心線（６ａ）から連結支持部（１９，２０）を経て指掛部（１５，１６）を設けている。前記両柄部（９，１０）のうち少なくとも指掛部（１５，１６）は、両刃部（７，８）を互いに閉じた閉状態で、両柄部（９，１０）の開閉方向（Ｒ）の両側区域（Ｕ，Ｄ）を、開閉支持部（６）の回動中心線（６ａ）と一方の刃部（７，８）における刃先（２１，２２）の尖端（２１ａ，２２ａ）とを含む第一の基準平面（Ｐ）で区画するとともに、両柄部（９，１０）の回動中心線（６ａ）の延設方向の両側区域（Ｆ，Ｂ）を、開閉方向（Ｒ）と両刃部（７，８）の摺接面（７ａ，８ａ）とを含む第二の基準平面（Ｑ）で区画した際に、第一の基準平面（Ｐ）で区画された両側区域（Ｕ，Ｄ）のうち、一方の側の区域（Ｄ）側に片寄って配設されている。前記両柄部（９，１０）は前記指掛部として指掛環（１５，１６）を有し、両柄部（９，１０）の指掛環（１５，１６）の内側に設けた指入れ孔（１５ａ，１６ａ）のうち少なくとも一方の指掛環（１６）の指入れ孔（１６ａ）の内周縁部には回動中心線（６ａ）の延設方向へ膨出させた指当部（２５）を設けている。
【００１５】
請求項５の発明では、例えば、第一の基準平面（Ｐ）を水平にするとともに第二の基準平面（Ｑ）を鉛直にした状態で、両刃部（７，８）を顔面の眉毛などの毛に当てがって使用する際に、両柄部（９，１０）の指掛部（１５，１６）が両刃部（７，８）より下側に配置されるので、腕や肘や手首を必要以上に曲げたり捻ったり上げたりして両柄部（９，１０）を把持する必要が少なくなり、両刃部（７，８）を容易に開閉動させることができる。また、指掛環（１５，１６）に挿入した指の指当部（２５）に対する接触面積が広がるので、腕や肘や手首を曲げたり捻ったり上げたりした使用姿勢でも、指当部（２５）に対する指の接触状態が安定し、挿入時の指の向きが変わっても両刃部（７，８）を容易に開閉動させることができる。
【００１６】
請求項６の発明にかかる鋏（１）においては、一対の鋏片（４，５）を開閉支持部（６）で回動可能に支持して互いに交差させ、その開閉支持部（６）より先端側に刃部（７，８）を設けるとともに、その開閉支持部（６）より基端側に柄部（９，１０）を設け、この両柄部（９，１０）には開閉支持部（６）の回動中心線（６ａ）から連結支持部（１９，２０）を経て指掛部（１５，１６）を設けている。前記両柄部（９，１０）のうち少なくとも指掛部（１５，１６）は、両刃部（７，８）を互いに閉じた閉状態で、両柄部（９，１０）の開閉方向（Ｒ）の両側区域（Ｕ，Ｄ）を、開閉支持部（６）の回動中心線（６ａ）と一方の刃部（７，８）における刃先（２１，２２）の尖端（２１ａ，２２ａ）とを含む第一の基準平面（Ｐ）で区画するとともに、両柄部（９，１０）の回動中心線（６ａ）の延設方向の両側区域（Ｆ，Ｂ）を、開閉方向（Ｒ）と両刃部（７，８）の摺接面（７ａ，８ａ）とを含む第二の基準平面（Ｑ）で区画した際に、第二の基準平面（Ｑ）で区画された両側区域（Ｆ，Ｂ）のうち、一方の側の区域（Ｆ）側に片寄って配設されている。前記両柄部（９，１０）は前記指掛部として指掛環（１５，１６）を有し、両柄部（９，１０）の指掛環（１５，１６）の内側に設けた指入れ孔（１５ａ，１６ａ）のうち少なくとも一方の指掛環（１６）の指入れ孔（１６ａ）の内周縁部には回動中心線（６ａ）の延設方向へ膨出させた指当部（２５）を設けている。
【００１７】
請求項６の発明では、例えば、第一の基準平面（Ｐ）を水平にするとともに第二の基準平面（Ｑ）を鉛直にした状態で、両刃部（７，８）を顔面の眉毛などの毛に当てがって使用する際に、両指掛部（１５，１６）が顔面から離れる前側に配置されるので、顔面と両指掛部（１５，１６）との間にスペースが生じ、そのスペースに配置した手で両刃部（７，８）を容易に開閉動させることができる。また、指掛環（１５，１６）に挿入した指の指当部（２５）に対する接触面積が広がるので、腕や肘や手首を曲げたり捻ったり上げたりした使用姿勢でも、指当部（２５）に対する指の接触状態が安定し、挿入時の指の向きが変わっても両刃部（７，８）を容易に開閉動させることができる。
【００１８】
請求項１から請求項６のうちいずれか一つの請求項の発明を前提とする請求項７の発明において、前記両柄部（９，１０）の指掛部（１５，１６）は、第一の基準平面（Ｐ）に対し近い側と遠い側とで互いに並んで配設されている。
【００１９】
請求項７の発明では、両指掛部（１５，１６）が例えば顔面に沿うように並ぶので、両刃部（７，８）をより一層容易に開閉動させることができる。
請求項７の発明を前提とする請求項８の発明において、前記第一の基準平面（Ｐ）に対し近い側にある指掛部（１５）を有する一方の鋏片（４）で刃部（７）に櫛部材（３）を装着可能に支持している。刃部（７）に櫛部材（３）を装着可能に支持するばかりではなく、さらに、刃部（７）に櫛部材（３）を離脱可能に支持するようにしてもよい。
【００２０】
請求項８の発明では、櫛部材（３）を利用して顔面の眉毛などの毛を揃えて梳きながら切ることができる。
請求項８の発明を前提とする請求項９の発明において、前記櫛部材（３）は一方の刃部（７）が装着可能に支持された台部（２６，２７，２８）を有し、この櫛部材（３）の台部（２６，２７，２８）は第一の基準平面（Ｐ）に対し両指掛部（１５，１６）側に配設され、この櫛部材（３）の台部（２６，２７，２８）において、櫛部材（３）の各櫛歯（３ａ）は第二の基準平面（Ｑ）を挟む両側のうち一方の側で並設されて一方の刃部（７）に面し、一方の側に対する反対側の他方の側で他方の刃部（８）が一方の刃部（７）に対し開閉される。
【００２１】
請求項９の発明では、櫛部材（３）の各櫛歯（３ａ）により顔面の眉毛などの毛を揃えて梳きながら切ることができる。
次に、請求項以外の技術的思想について実施形態の図面の符号を援用して説明する。
【００２２】
請求項５の発明を前提とする第１０の発明において、前記両柄部（９，１０）の連結支持部（１９，２０）は、前記両柄部（９，１０）の指掛部（１５，１６）から開閉支持部（６）側へ所定範囲延設され、両刃部（７，８）を互いに閉じた閉状態で、第一の基準平面（Ｐ）を挟む開閉方向（Ｒ）の両側区域（Ｕ，Ｄ）のうち一方の側の区域（Ｄ）側に片寄って指掛部（１５，１６）とともに配設されて指掛部（１５，１６）に向けて接近するに従い第一の基準平面（Ｐ）から離間する向きへ延設されている。第１０の発明では、両柄部（９，１０）において連結支持部（１９，２０）も第一の基準平面（Ｐ）に対し両指掛部（１５，１６）と同様に配設されるので、両刃部（７，８）をより一層容易に開閉動させることができる。
【００２３】
第１０の発明を前提とする第１１の発明において、前記両柄部（９，１０）の指掛部（１５，１６）は、両刃部（７，８）を互いに閉じた閉状態で、前記両柄部（９，１０）の連結支持部（１９，２０）に対し、第一の基準平面（Ｐ）に接近する向きへ屈曲して延設されている。第１１の発明では、両指掛部（１５，１６）が両刃部（７，８）より下側になり過ぎないように上向きに戻すことができるので、腕や肘や手首を必要以上に曲げたり捻ったり上げたりして両柄部（９，１０）を把持する必要が少なくなり、両刃部（７，８）をより一層容易に開閉動させることができる。
【００２４】
請求項６の発明を前提とする第１２の発明において、前記両柄部（９，１０）の連結支持部（１９，２０）は、前記両柄部（９，１０）の指掛部（１５，１６）から開閉支持部（６）側へ所定範囲延設され、両刃部（７，８）を互いに閉じた閉状態で、第二の基準平面（Ｑ）を挟む開閉方向（Ｒ）の両側区域（Ｆ，Ｂ）のうち一方の側の区域（Ｆ）側に片寄って指掛部（１５，１６）とともに配設されて指掛部（１５，１６）に向けて接近するに従い第二の基準平面（Ｑ）から離間する向きへ延設されている。第１２の発明では、両柄部（９，１０）において連結支持部（１９，２０）も第二の基準平面（Ｑ）に対し両指掛部（１５，１６）と同様に配設されるので、両刃部（７，８）をより一層容易に開閉動させることができる。
【００２５】
第１２の発明を前提とする第１３の発明において、前記両柄部（９，１０）の指掛部（１５，１６）は、両刃部（７，８）を互いに閉じた閉状態で、前記両柄部（９，１０）の連結支持部（１９，２０）に対し、第二の基準平面（Ｑ）に接近する向きへ屈曲して延設されている。第１３の発明では、両指掛部（１５，１６）が顔面から離れ過ぎないように顔面側へ戻すことができるので、腕や肘や手首を必要以上に曲げたり捻ったり上げたりして両柄部（９，１０）を把持する必要が少なくなり、両刃部（７，８）をより一層容易に開閉動させることができる。
【００２６】
請求項７の発明を前提とする第１４の発明において、前記両柄部（９，１０）に指掛部として設けた指掛環（１５，１６）の内側に設けた指入れ孔（１５ａ，１６ａ）のうち少なくとも一方の指掛環（１６）の指入れ孔（１６ａ）の内周縁部で回動中心線（６ａ）の延設方向へ膨出させて設けた指当部（２５）は、前記第一の基準平面（Ｐ）に対し遠い側にある指掛部（１６）において、前記第一の基準平面（Ｐ）に対し近い側にある指掛部（１５）と隣接する側に設けられている。第１４の発明では、例えば、遠い側の指掛部（１６）に親指を挿入するとともに、近い側の指掛部（１５）に親指以外の指を挿入して、両刃部（７，８）をより一層容易に開閉動させることができる。
【００２７】
請求項７の発明または第１４の発明を前提とする第１５の発明において、前記両柄部（９，１０）は、開閉支持部（６）から延設した支持板部（１１，１２）と、その支持板部（１１，１２）に取り付けた把持部（１３，１４）とを有し、この把持部（１３，１４）は、前記指掛部（１５，１６）と、この指掛部（１５，１６）から支持板部（１１，１２）側へ延設されて支持板部（１１，１２）に連結された連結部（１７，１８）とを有し、前記連結支持部（１９，２０）は、この支持板部（１１，１２）と連結部（１７，１８）とを有している。第１５の発明では、指掛部（１５，１６）を有する把持部（１３，１４）を支持板部（１１，１２）に対し把持部（１３，１４）の連結部（１７，１８）で連結して柄部（９，１０）を構成するので、把持部（１３，１４）を例えばプラスチックなどにより成形して支持板部（１１，１２）に連結することができる。
【００２８】
請求項７の発明を前提とする第１６の発明において、前記両柄部（９，１０）は前記指掛部としての指掛環（１５，１６）を有し、両柄部（９，１０）の連結支持部（１９，２０）のうち少なくとも一方の連結支持部（１９）には指掛部（１５）の外周縁部に連続する指当部（２３）を設けている。第１６の発明では、指当部（２３）に指を当てがって両刃部（７，８）をより一層容易に開閉動させることができる。
【００２９】
第１６の発明を前提とする第１７の発明において、前記指当部（２３）は、前記第一の基準平面（Ｐ）に対し近い側にある指掛部（１５）の外周縁部に連続している。第１７の発明では、腕や肘や手首を曲げたり捻ったり上げたりした使用姿勢でも指が安定し、両刃部（７，８）をより一層容易に開閉動させることができる。
【００３０】
第１６の発明または第１７の発明を前提とする第１８の発明において、前記両柄部（９，１０）は、開閉支持部（６）から延設した支持板部（１１，１２）と、その支持板部（１１，１２）に取り付けた把持部（１３，１４）とを有し、この把持部（１３，１４）は、前記指掛部（１５）と、この指掛部（１５）から支持板部（１１，１２）側へ延設されて支持板部（１１，１２）に連結された連結部（１７，１８）とを有し、前記連結支持部（１９，２０）は、この支持板部（１１，１２）と連結部（１７，１８）とを有し、前記指当部（２３）は、前記第一の基準平面（Ｐ）に対し近い側にある指掛部（１５）を有する把持部（１３）において、連結部（１７）に設けられている。第１８の発明では、指掛部（１５，１６）を有する把持部（１３，１４）を支持板部（１１，１２）に対し把持部（１３，１４）の連結部（１７，１８）で連結して柄部（９，１０）を構成するので、例えば把持部（１３，１４）をプラスチックなどにより成形して支持板部（１１，１２）に連結することができる。
【００３１】
請求項７の発明を前提とする第１９の発明において、前記両柄部（９，１０）は前記指掛部としての指掛環（１５，１６）を有し、両柄部（９，１０）の指掛部（１５，１６）の外周縁部のうち少なくとも一方の指掛部（１５）の外周縁部のうち前記両柄部（９，１０）の連結支持部（１９，２０）に対する反対側には指当部（２４）を突出させている。第１９の発明では、指当部（２４）に指を当てがって両刃部（７，８）をより一層容易に開閉動させることができる。
【００３２】
第１９の発明を前提とする第２０の発明において、前記指当部（２４）は、前記第一の基準平面（Ｐ）に対し近い側にある指掛部（１５）の外周縁部から突出している。第２０の発明では、腕や肘や手首を曲げたり捻ったり上げたりした使用姿勢でも指が安定し、両刃部（７，８）をより一層容易に開閉動させることができる。
【００３３】
第１９の発明または第２０の発明を前提とする第２１の発明において、前記両柄部（９，１０）は、開閉支持部（６）から延設した支持板部（１１，１２）と、その支持板部（１１，１２）に取り付けた把持部（１３，１４）とを有し、この把持部（１３，１４）は、前記指掛部（１５，１６）と、この指掛部（１５，１６）から支持板部（１１，１２）側へ延設されて支持板部（１１，１２）に連結された連結部（１７，１８）とを有し、前記連結支持部（１９，２０）は、この支持板部（１１，１２）と連結部（１７，１８）とを有している。第２１の発明では、指掛部（１５，１６）を有する把持部（１３，１４）を支持板部（１１，１２）に対し把持部（１３，１４）の連結部（１７，１８）で連結して柄部（９，１０）を構成するので、把持部（１３，１４）を例えばプラスチックなどにより成形して支持板部（１１，１２）に連結することができる。
【００３４】
請求項８の発明を前提とする第２２の発明において、前記櫛部材（３）は、底部（２６）と、回動中心線（６ａ）の延設方向の両側で底部（２６）から連続する側部（２７，２８）と、両側部（２７，２８）間に設けた溝部（２９）とを有し、この櫛部材（３）の底部（２６）は、第一の基準平面（Ｐ）に対し両指掛部（１５，１６）側に配設され、一方の刃部（７）は溝部（２９）に対し着脱可能に挿着され、この櫛部材（３）の各櫛歯（３ａ）は、この櫛部材（３）の両側部（２７，２８）のうち一方の側部（２７）で並設されて一方の刃部（７）に面し、第二の基準平面（Ｑ）に対し両指掛部（１５，１６）側に配設された他方の側部（２８）側で他方の刃部（８）が一方の刃部（７）に対し開閉される。第２２の発明では、必要に応じて櫛部材（３）を使用することができるとともに、櫛部材（３）の各櫛歯（３ａ）により顔面の眉毛などの毛を揃えて梳きながら切ることができる。
【００３５】
第１５の発明または第１８の発明または第２１の発明を前提とする第２３の発明にかかる両柄部（９，１０）の支持板部（１１，１２）において、開閉方向（Ｒ）の幅は、指掛部（１５，１６）側で開閉支持部（６）の回動中心線（６ａ）側より小さく設定されている。第２３の発明では、両柄部（９，１０）の支持板部（１１，１２）間に窓（Ｓ）を設け易い。
【００３６】
第２３の発明を前提とする第２４の発明において、両刃部（７，８）を互いに閉じた閉状態で、両柄部（９，１０）の支持板部（１１，１２）間に窓（Ｓ）を設けている。第２４の発明では、顔面を映した鏡などを窓（Ｓ）から見易くすることができる。
【００３７】
請求項４または請求項５または請求項６の発明を前提とする第２５の発明において、開閉支持部（６）の回動中心線（６ａ）と一方の刃部（７，８）における刃先（２１，２２）の尖端（２１ａ，２２ａ）との間の距離をＬ１、開閉支持部（６）の回動中心線（６ａ）と両指掛環（１５，１６）の内周縁部の環形状の図心（Ｃ）との距離のうち短い距離をＬ２とした場合、Ｌ２≧２．５×Ｌ１に設定した。第２５の発明では、両柄部（９，１０）を長くして両刃部（７，８）をより一層容易に開閉動させることができる。
【００３８】
第１５の発明または第１８の発明または第２１の発明を前提とする第２６の発明において、両柄部（９，１０）の支持板部（１１，１２）における回動中心線（６ａ）の延設方向の最大厚みをＴ１、第二の基準平面（Ｑ）に対する両指掛環（１５，１６）の距離のうち短い距離をＴ２とした場合、Ｔ２≧３×Ｔ１に設定した。第２６の発明では、顔面と両指掛部（１５，１６）との間にスペースを容易に生じさせることができる。
【発明の効果】
【００３９】
本発明は、両柄部（９，１０）の指掛部（１５，１６）の配置状態や形態を改良して両刃部（７，８）の開閉動を行ない易くし、鋏（１）の使い勝手を良くすることができる。
【図面の簡単な説明】
【００４０】
【図１】（ａ）は第一実施形態において櫛部材を取り外した鋏本体の閉状態とその櫛部材とを示す正面図であり、（ｂ）は同じく背面図である。
【図２】（ａ）は第一実施形態において櫛部材を取り外した鋏本体の開状態を示す正面図であり、（ｂ）は同じく背面図である。
【図３】（ａ）は第一実施形態において櫛部材を取り外した鋏本体の閉状態を示す平面図であり、（ｂ）は同じく底面図である。
【図４】（ａ）は第一実施形態において鋏本体に櫛部材を取り付けた鋏の閉状態を示す正面図であり、（ｂ）は同じく背面図である。
【図５】（ａ）は第一実施形態において鋏本体に櫛部材を取り付けた鋏の閉状態を示す平面図であり、（ｂ）は同じく底面図である。
【図６】（ａ）は第一実施形態において図４（ａ）のＡ−Ａ線断面図であり、（ｂ）は図４（ａ）のＢ−Ｂ線断面図である。
【図７】（ａ）は第二実施形態において鋏本体に櫛部材を取り付けた鋏の閉状態を示す正面図であり、（ｂ）は同じく背面図である。
【図８】（ａ）は第二実施形態において鋏本体に櫛部材を取り付けた鋏の閉状態を示す平面図であり、（ｂ）は同じく底面図である。
【発明を実施するための形態】
【００４１】
以下、本発明の第一実施形態にかかる櫛付き鋏について図１〜６を参照して説明する。
図１に示す鋏１は、右利き用であって、鋏本体２と櫛部材３とを備えている。図２に示す鋏本体２においては、一対の鋏片４，５が開閉支持部６（回動中心線６ａの周辺部）で回動可能に支持されて互いに交差し、その開閉支持部６により先端側には摺接面７ａ，８ａで互いに摺接しながら開閉する刃板７，８（刃部）が設けられているとともに、その開閉支持部６より基端側に柄部９，１０が設けられている。この刃板７，８は例えばステンレス鋼などの金属からなる。この両柄部９，１０は、刃板７，８と一体に成形されて開閉支持部６から延設された支持板部１１，１２と、その支持板部１１，１２に取り付けられた把持部１３，１４とを有している。この把持部１３，１４は、プラスチックにより成形され、指掛環１５，１６（指掛部）と、この指掛環１５，１６から支持板部１１，１２側へ延設されて支持板部１１，１２に連結された連結部１７，１８とを有している。この支持板部１１，１２と連結部１７，１８とにより、開閉支持部６の回動中心線６ａと指掛環１５，１６との間で連結支持部１９，２０が両柄部９，１０の指掛環１５，１６から開閉支持部６側へ延設されて構成されている。
【００４２】
両柄部９，１０のうち指掛環１５，１６は、図１に示すように両刃板７，８を互いに閉じた閉状態で、両柄部９，１０の開閉方向Ｒの両側区域Ｕ，Ｄを、開閉支持部６の回動中心線６ａと刃板７，８における刃先２１，２２の尖端２１ａ，２２ａのいずれか一方とを含む第一の基準平面Ｐで区画した際に、一方の側の区域Ｄで第一の基準平面Ｐに対し近い側と遠い側とで互いに並んで配設されている。また、指掛環１５，１６は、図１に示すように両刃板７，８を互いに閉じた閉状態で、図３に示すように両柄部９，１０の回動中心線６ａの延設方向の両側区域Ｆ，Ｂを、開閉方向Ｒと両刃板７，８の摺接面７ａ，８ａとを含む第二の基準平面Ｑで区画した際に、一方の側の区域Ｆに配設されている。
【００４３】
さらに、両柄部９，１０の連結支持部１９，２０は、図１に示すように両刃板７，８を互いに閉じた閉状態で、第一の基準平面Ｐを挟む開閉方向Ｒの両側区域Ｕ，Ｄのうち一方の側の区域Ｄに指掛環１５，１６とともに配設されて指掛環１５，１６に向けて接近するに従い第一の基準平面Ｐから離間する向きへ延設されている。また、連結支持部１９，２０において特に連結部１７，１８は、図１に示すように両刃板７，８を互いに閉じた閉状態で、図３に示すように第二の基準平面Ｑを挟む回動中心線６ａの延設方向の両側区域Ｆ，Ｂのうち一方の側の区域Ｆに指掛環１５，１６とともに配設されて指掛環１５，１６に向けて接近するに従い第二の基準平面Ｑから離間する向きへ延設されている。
【００４４】
両柄部９，１０の指掛環１５，１６は、内周縁部で区画されて第二の基準平面Ｑに対向する環形状の指入れ孔１５ａ，１６ａを有し、図１及び図３に示すように両刃板７，８を互いに閉じた閉状態で、前記両柄部９，１０の連結支持部１９，２０に対し、第一の基準平面Ｐに接近する向きへ境界部１７ａ，１８ａで屈曲して延設されているばかりでなく、第二の基準平面Ｑに接近する向きへ境界部１７ｂ，１８ｂで屈曲して延設されている。ちなみに、この境界部１７ａ，１８ａ及び境界部１７ｂ，１８ｂにおいては、一点鎖線で表示された幅方向中心線が屈曲していることが分かる。
【００４５】
前記両柄部９，１０の支持板部１１，１２において、開閉方向Ｒの幅は、指掛環１５，１６側で開閉支持部６の回動中心線６ａ側より小さく設定されている。図１に示すように両刃板７，８を互いに閉じた閉状態で、両柄部９，１０の支持板部１１，１２間及び連結部１７，１８間には第二の基準平面Ｑに対向する窓Ｓが開放されている。
【００４６】
第一の基準平面Ｐに対し近い側にある指掛環１５を有する把持部１３においては、連結部１７に凹凸状の指当部２３が指掛環１５の外周縁部に連続して形成され、その外周縁部のうち両柄部９，１０の連結支持部１９，２０に対する反対側には指当部２４が指掛環１５の外周縁部から突出して形成されている。また、第一の基準平面Ｐに対し遠い側にある指掛環１６においては、第一の基準平面Ｐに対し近い側にある指掛環１５と隣接する側で、図３（ｂ）及び図６（ａ）に示すように回動中心線６ａの延設方向へ膨出させて指掛環１６の内周縁部の幅より広い幅を有する指当部２５が形成されている。
【００４７】
図１に示すように、開閉支持部６の回動中心線６ａと刃板７，８における刃先２１，２２の尖端２１ａ，２２ａとの間の距離をＬ１（例えば２７ｍｍ）、開閉支持部６の回動中心線６ａと両指掛環１５，１６における環形状の指入れ孔１５ａ，１６ａの図心Ｃとの距離のうち短い距離をＬ２（例えば７２ｍｍ）とした場合、Ｌ２≧２．５×Ｌ１に設定されている。また、図３に示すように、両柄部９，１０の支持板部１１，１２における回動中心線６ａの延設方向の最大厚みをＴ１（例えば１．５ｍｍ）、第二の基準平面Ｑに対する両指掛環１５，１６の距離のうち短い距離をＴ２（例えば６．５ｍｍ）とした場合、Ｔ２≧３×Ｔ１に設定されている。ただし、第一実施形態では、両指掛環１５，１６の距離Ｌ２や、両支持板部１１，１２の最大厚みＴ１や、両指掛環１５，１６の距離Ｔ２については、それぞれ、ほぼ同一になっている。
【００４８】
図１に示す前記櫛部材３は、プラスチックまたは金属からなり、図６（ｂ）に示すように、底部２６と、回動中心線６ａの延設方向の両側で底部２６から連続する側部２７，２８と、両側部２７，２８間に設けられた溝部２９とを台部として有している。この櫛部材３の各櫛歯３ａは一方の側部２７に並設されている。櫛部材３の側部２７には各櫛歯３ａの並設方向の両端部で各櫛歯３ａより太い補強用側壁が櫛歯３ａに隣接して設けられていないので、並設方向の両端部の櫛歯３ａが並設方向へ開放され、眉毛を梳く際にその補強用側壁が邪魔にならず、各櫛歯３ａのどの部分でも一定の梳き具合で眉毛を梳くことができる。第一の基準平面Ｐに対し近い側にある指掛環１５を有する一方の鋏片４で刃板７には図４及び図５に示すように櫛部材３が着脱可能に支持されている。この櫛部材３の底部２６は第一の基準平面Ｐに対し両指掛環１５，１６側（区域Ｄ側）に配設され、他方の側部２８は第二の基準平面Ｑに対し両指掛環１５，１６側（区域Ｆ側）に配設されている。櫛部材３を有する一方の刃板７が溝部２９に対し着脱可能に挿着された状態では、溝部２９において一方の側部２７に形成された凸条３０が刃板７に形成された凹条３１に係入されて案内され、他方の刃板８が一方の刃板７に対し第二の基準平面Ｑに対する区域Ｆ側で各櫛歯３ａに面して開閉される。各櫛歯３ａは、一方の刃板７の刃付け面に沿うように屈曲されて他方の刃板８の摺接面８ａにほぼ沿って延びている。各櫛歯３ａの先端側ほど他方の刃板８の摺接面８ａから離間するように角度θ（１〜５度）を持たせて各櫛歯３ａを傾けてもよい。その傾きを持たせると、使用時に各櫛歯３ａが他方の刃板８の摺接面８ａ側に押されることがあっても、その摺接面８ａに各櫛歯３ａが当たることを防止し易い。
【００４９】
さて、前述した右利き用の鋏１を使用する際には、例えば、図４及び図５に示すように櫛部材３を一方の刃板７に取り付けて櫛部材３の各櫛歯３ａを上向きにした状態で、上側に配置される指掛環１５の指入れ孔１５ａに右手の中指を挿入して中指の腹側を下向きにするとともに、下側に配置される指掛環１６に右手の親指を挿入して親指の腹側を指当部２５に当てがい、指掛環１５の外側で右手の人差し指の腹側を指当部２３に当てがうとともに右手の薬指の腹側を指当部２４に当てがう。そして、各櫛歯３ａを右側の眉毛に向けた状態で顔面に当てがい、両柄部９，１０により刃板７に対し刃板８を開閉動させると、各櫛歯３ａから突出した眉毛を揃えて梳きながら切ることができる。また、鋏１をずらせば、左側の眉毛も同様に揃えて梳きながら切ることができる。
【００５０】
図７〜８に示すように、本発明の第二実施形態にかかる櫛付き鋏１は、左利き用であって、図４〜５に示す右利き用の鋏１と比較して、同様な構造であるが、右利き用の鋏１を鏡に映した際に鏡に映し出された鏡像を左利き用の鋏１として図示しているため、各部が逆に配置されている点で異なり、左側の眉毛を揃えて梳きながら切ることができる。また、鋏１をずらせば、右側の眉毛も同様に揃えて梳きながら切ることができる。
【００５１】
第一実施形態及び第二実施形態は下記の効果を有する。
（１）  例えば、第一の基準平面Ｐを水平にするとともに第二の基準平面Ｑを鉛直にした状態で、両刃板７，８を顔面の眉毛に当てがって使用する際に、両柄部９，１０の指掛環１５，１６及び連結支持部１９，２０が顔面に沿うように上下に並んで両刃板７，８より斜め下向きに配置される。従って、両柄部９，１０を把持する際に、腕や肘や手首を必要以上に曲げたり捻ったり上げたりする必要が少なくなり、両刃板７，８を容易に開閉動させることができて、鋏１の使い勝手を良くすることができる。
【００５２】
（２）  例えば、第一の基準平面Ｐを水平にするとともに第二の基準平面Ｑを鉛直にした状態で、両刃板７，８を顔面の眉毛に当てがって使用する際に、両指掛環１５，１６や連結支持部１９，２０の連結部１７，１８が顔面から離れる前側に配置される。従って、顔面と両指掛環１５，１６や連結支持部１９，２０の連結部１７，１８との間にスペースが生じ、そのスペースに配置した手で両刃板７，８を容易に開閉動させることができて、鋏１の使い勝手を良くすることができる。特に、右利き用の鋏１により左側の眉毛を揃えて梳きながら切る場合や、左利き用の鋏１により右側の眉毛を揃えて梳きながら切る場合には、手が顔面に近付いて接触し易くなるが、そのような場合でも顔面に対する手の接触を防止し易い。
【００５３】
（３）  両指掛環１５，１６を連結支持部１９，２０に対し第一の基準平面Ｐに接近する向きへ屈曲させて両刃板７，８より斜め下向きになり過ぎないように少し上向きに戻したり、両指掛環１５，１６を連結支持部１９，２０に対し第二の基準平面Ｑに接近する向きへ屈曲させて顔面から離れ過ぎないように顔面側へ少し戻したりすることができる。従って、両柄部９，１０を把持する際に、腕や肘や手首を必要以上に曲げたり捻ったり上げたりする必要が少なくなり、両刃板７，８を容易に開閉動させることができて、鋏１の使い勝手を良くすることができる。
【００５４】
（４）  指掛環１６の指入れ孔１６ａに親指を挿入した際に親指の指当部２５に対する接触面積が広がるので、腕や肘や手首を曲げたり捻ったり上げたりした使用姿勢でも、指当部２５に対する親指の接触状態が安定する。また、指掛環１５の指入れ孔１５ａに中指を挿入した際に指当部２３に人差し指を当てがったり指当部２４に薬指を当てがったりする。従って、挿入時の指の向きが変わっても、両刃板７，８を容易に開閉動させることができて、鋏１の使い勝手を良くすることができる。
【００５５】
（５）  指掛環１５を有する鋏片４で刃板７に櫛部材３を着脱可能に支持したので、必要に応じて櫛部材３を使用することができるとともに、櫛部材３の各櫛歯３ａにより顔面の眉毛を揃えて梳きながら切ることができる。
【００５６】
前記実施形態以外にも例えば下記のように構成してもよい。
・  両柄部９，１０において指掛環１５，１６や連結支持部１９，２０については、それらの全体が前記区域Ｄ，Ｆ側に片寄って配設され、特に指掛環１５，１６の指入れ孔１５ａ，１６ａの図心Ｃが前記区域Ｄ，Ｆに配設されていることが好ましく、指掛環１５，１６や連結支持部１９，２０の一部が前記区域Ｕ，Ｂに入り込んでいてもよい。
【００５７】
・  両指掛環１５，１６にそれぞれ指当部２５を設けてもよい。
・  両指掛環１５，１６にそれぞれ指当部２３や指当部２４を設けてもよい。
・  眉毛以外の毛、例えば、顔面における鬢や髭の毛を切る際に、上記の鋏１を利用してもよい。
【００５８】
・  櫛部材３の溝部２９に代わる凹凸部により刃板７に櫛部材３を着脱可能に取り付けたり、ねじや磁石を利用して刃板７に櫛部材３を着脱可能に取り付けたりしてもよい。また、刃板７に櫛部材３を分離不能に取り付けてもよい。
【００５９】
・  両柄部９，１０の全体を金属により設けてもよい。
・  両柄部９，１０の把持部１３，１４については、ＡＢＳ樹脂などの硬質材や、オレフィン系エラストマーなどの軟質材により成形してもよい。
【００６０】
・  両柄部９，１０の把持部１３，１４については、形状記憶樹脂により成形し、使用者の好みに応じて、種々の形状に変形させてもよい。
【符号の説明】
【００６１】
１…鋏、３…櫛部材、３ａ…櫛歯、４，５…鋏片、６…開閉支持部、６ａ…回動中心線、７，８…刃板（刃部）、７ａ，８ａ…刃板の摺接面、９，１０…柄部、１５，１６…指掛環（指掛部）、１５ａ，１６ａ…指入れ孔、１９，２０…連結支持部、２１，２２…刃先、２１ａ，２２ａ…尖端、２５…指当部、２６…底部、２７，２８…側部、Ｒ…開閉方向、Ｕ，Ｄ…区域、Ｐ…第一の基準平面、Ｆ，Ｂ…区域、Ｑ…第二の基準平面。
【図１】
2013126442.tif 000003
【図２】
2013126442.tif 000004
【図３】
2013126442.tif 000005
【図４】
2013126442.tif 000006
【図５】
2013126442.tif 000007
【図６】
2013126442.tif 000008
【図７】
2013126442.tif 000009
【図８】
2013126442.tif 000010